(57)【特許請求の範囲】
【請求項１】
ズーム操作に応じて変更される画素数を有する元画像データに第１態様のズーム処理を施して表示画像データを作成する第１ズーム処理手段、
前記第１ズーム処理手段によって作成された表示画像データに基づく画像を表示する表示手段、
前記第１態様のズーム処理に並列する第２態様のズーム処理を前記元画像データに施して記録画像データを作成する第２ズーム処理手段、および
前記第２ズーム処理手段によって作成された記録画像データを記録媒体に記録する記録手段を備え、
前記表示画像データの画素数は前記記録画像データの画素数よりも小さく、
前記第１ズーム処理手段は、縮小ズーム用の第１特定補間手段を含みかつ互いに異なる複数の第１補間処理を並列して実行する第１補間手段、前記第１補間手段からの複数の出力に加重加算を施す第１加重加算手段、および前記元画像データの画素数が前記表示画像データの画素数に対応する第１基準値を上回る範囲で前記第１特定補間手段の出力に対する重み付け量を増大させる第１重み付け量変更手段を含み、
前記第２ズーム処理手段は、拡大ズーム用の第２特定補間手段を含みかつ互いに異なる複数の第２補間処理を並列して実行する第２補間手段、前記第２補間手段からの複数の出力に加重加算を施す第２加重加算手段、および前記元画像データの画素数が前記記録画像データの画素数に対応する第２基準値を下回る範囲で前記第２特定補間手段の出力に対する重み付け量を増大させる第２重み付け量変更手段を含む、データ処理装置。
【請求項２】
前記第１特定補間手段は最小２乗法に従う補間処理を実行し、
前記第２特定補間手段はスプライン補間処理を実行する、請求項１記載のデータ処理装置。
【請求項３】
前記元画像データ，前記表示画像データおよび前記記録画像データの各々は動画像を表す画像データである、請求項１または２記載のデータ処理装置。
【発明の詳細な説明】
【技術分野】
【０００１】
この発明は、たとえばディジタルカメラに適用され、互いに関連する表示画像および記録画像を個別に作成する、データ処理装置に関する。
【背景技術】
【０００２】
この種の装置の一例が、特許文献１に開示されている。この背景技術によれば、所望の生画像データがＳＤＲＡＭに確保されると、まず表示用のフリーズ画像データがこの生画像データに基づいて生成される。生成されたフリーズ画像データは初期圧縮率に従うＪＰＥＧ圧縮を施され、最適圧縮率は圧縮されたフリーズ画像データと初期圧縮率とに基づいて算出される。最適圧縮率が算出されると、記録用の主画像データがＳＤＲＡＭ上の生画像データに基づいて生成され、生成された主画像データが最適圧縮率で圧縮される。
【特許文献１】特開２００４−４０５１９号公報［H04N 5/91, 5/232, 5/907, H04N 101:00］
【発明の開示】
【発明が解決しようとする課題】
【０００３】
しかし、背景技術では、表示用のフリーズ画像データを生成する処理と記録用の主画像データを生成する処理とが直列的に実行されるため、処理に時間がかかるという問題がある。
【０００４】
それゆえに、この発明の主たる目的は、互いに関連する表示画像および記録画像を短時間かつ高品質に生成することができる、データ処理装置を提供することである。
【課題を解決するための手段】
【０００５】
この発明に従うデータ処理装置(10：実施例で相当する参照符号。以下同じ)は、ズーム操作に応じて変更される画素数を有する元画像データに第１態様のズーム処理を施して表示画像データを作成する第１ズーム処理手段(56)、第１ズーム処理手段によって作成された表示画像データに基づく画像を表示する表示手段(26, 28)、第１態様のズーム処理に並列する第２態様のズーム処理を元画像データに施して記録画像データを作成する第２ズーム処理手段(58)、および第２ズーム処理手段によって作成された記録画像データを記録媒体(34)に記録する記録手段(32)を備え、表示画像データの画素数は記録画像データの画素数よりも小さく、第１ズーム処理手段は、縮小ズーム用の第１特定補間手段(56a, 56i)を含みかつ互いに異なる複数の第１補間処理を並列して実行する第１補間手段(56a, 56b, 56i, 56j)、第１補間手段からの複数の出力に加重加算を施す第１加重加算手段(56c, 56d, 56e, 56k, 56m, 56n)、および元画像データの画素数が表示画像データの画素数に対応する第１基準値を上回る範囲で第１特定補間手段の出力に対する重み付け量を増大させる第１重み付け量変更手段(S19)を含み、第２ズーム処理手段は、拡大ズーム用の第２特定補間手段(58a, 58i)を含みかつ互いに異なる複数の第２補間処理を並列して実行する第２補間手段(58a, 58b, 58i, 58j)、第２補間手段からの複数の出力に加重加算を施す第２加重加算手段(58c, 58d, 58e, 58k, 58m, 58n)、および元画像データの画素数が記録画像データの画素数に対応する第２基準値を下回る範囲で第２特定補間手段の出力に対する重み付け量を増大させる第２重み付け量変更手段(S23)を含む。
【００１２】
より好ましくは、第１特定補間手段は最小２乗法に従う補間処理を実行し、第２特定補間手段はスプライン補間処理を実行する。
【００１５】
好ましくは、元画像データ，表示画像データおよび記録画像データの各々は動画像を表す画像データである。
【発明の効果】
【００１６】
この発明によれば、表示画像データは第１態様のズーム処理によって作成され、記録画像データは第２態様のズーム処理によって作成される。これによって、表示画像および記録画像の両方の品質を改善することができる。また、第２態様のズーム処理は、第１態様のズーム処理と並列して実行される。これによって、表示画像および記録画像の作成に要する時間を短縮することできる。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例のディジタルカメラ１０は、光学レンズ１２を含む。被写界の光学像は、光学レンズ１２を通して撮像装置１４の撮像面に照射される。撮像面は水平１９２０画素×垂直１０８０画素の有効画像エリアを有し、かつ原色ベイヤ配列の色フィルタ（図示せず）によって覆われる。したがって、各画素では、Ｒ（Red），Ｇ（Green）およびＢ（Blue）のいずれか１つの色情報を有する電荷が光電変換によって生成される。
【００１９】
電源が投入されると、ＣＰＵ１８は、スルー画像処理を実行するべくドライバ１６を起動する。ドライバ１６は、１／３０秒毎に発生する垂直同期信号Ｖｓｙｎｃに応答して、撮像面を露光し、かつ撮像面で生成された電荷をラスタ走査態様で読み出す。撮像装置１４からは、水平１９２０画素×垂直１０８０画素の生画像信号が３０ｆｐｓのフレームレートで出力される。
【００２０】
前処理回路２０は、撮像装置１４からの生画像信号に相関二重サンプリング，自動ゲイン調整，Ａ／Ｄ変換などの処理を施し、これによって生成された生画像データをメモリ制御回路２２を通してＳＤＲＡＭ２４の生画像エリア２４ａ（図２参照）に書き込む。後処理回路３０は、生画像エリア２４ａに格納された生画像データをメモリ制御回路２２を通して１／３０秒毎に読み出し、読み出された生画像データに色分離，白バランス調整，ＹＵＶ変換，表示用ズームなどの処理を施す。この結果、ＹＵＶ形式に対応する水平６４０画素×垂直３６０画素の表示画像データが１／３０秒毎に作成される。
【００２１】
作成された表示画像データは、メモリ制御回路２２を通してＳＤＲＡＭ２４の表示画像エリア２４ｂ（図２参照）に書き込まれる。ＬＣＤドライバ２６は、表示画像エリア２４ｂに格納された表示画像データを繰り返し読み出し、読み出された表示画像データに基づいてＬＣＤモニタ２８を駆動する。この結果、被写界を表すリアルタイム動画像（スルー画像）がモニタ画面に表示される。図３（Ａ）に示す被写界が撮像面によって捉えられた場合、スルー画像は図３（Ｂ）に示す要領でモニタ画面に表示される。
【００２２】
キー入力装置３６によってズーム操作が行われると、ＣＰＵ１８は、生画像エリア２４ｂ上の一部のエリアを切り出しエリアとして指定する。つまり、当初は生画像エリア２４ｂ上の全エリアが切り出しエリアとされ、ズーム操作が行われたときに切り出しエリアのサイズおよび位置が変更される。
【００２３】
メモリ制御回路２２は、指定された切り出しエリアに属する一部の生画像データをメモリ制御回路２２を通して１／３０秒毎に読み出し、後処理回路３０は読み出された生画像データに上述と同様の処理を施して水平６４０画素×垂直３６０画素の表示画像データを作成する。この結果、切り出しエリアに属する一部のスルー画像がモニタ画面に表示される。
【００２４】
図３（Ａ）に示す部分エリアＥＸ１が切り出しエリアとされた場合、図４（Ａ）に示す一部の撮影画像が後処理を施される。スルー画像は、図４（Ｂ）に示す要領でモニタ画面に表示される。また、図３（Ａ）に示す部分エリアＥＸ２が切り出しエリアとされた場合、図５（Ａ）に示す一部の撮影画像が後処理を施される。スルー画像は、図５（Ｂ）に示す要領でモニタ画面に表示される。
【００２５】
キー入力装置３６上で記録開始操作が行われると、ＣＰＵ１８は、記録処理を開始するべく、後処理回路３０およびＩ／Ｆ３２に記録開始命令を与える。記録画質としては“高画質”および“低画質”が準備され、記録開始操作の前に“高画質”および“低画質”のいずれか一方が選択される。記録開始命令には、選択された記録画質が記述される。
【００２６】
後処理回路３０は、ＹＵＶ変換を施された画像データに対して、記録命令に記述された記録画質に対応する記録用ズームを施す。この結果、“高画質”が選択されたときは水平１９２０画素×垂直１０８０画素の記録画像データが作成され、“低画質”が選択されたときは水平７２０画素×垂直４０５画素の記録画像データが作成される。記録用ズームは表示用ズームと並列して実行され、記録画像データもまた１／３０秒毎に作成される。
【００２７】
図３（Ｂ）に示すスルー画像がＬＣＤモニタ２８に表示されるときは、“高画質”に対応して図３（Ｃ）に示す記録画像データが作成され、“低画質”に対応して図３（Ｄ）に示す記録画像データが作成される。また、図４（Ｂ）に示すスルー画像がＬＣＤモニタ２８に表示されるときは、“高画質”に対応して図４（Ｃ）に示す記録画像データが作成され、“低画質”に対応して図４（Ｄ）に示す記録画像データが作成される。さらに、図５（Ｂ）に示すスルー画像がＬＣＤモニタ２８に表示されるときは、“高画質”に対応して図５（Ｃ）に示す記録画像データが作成され、“低画質”に対応して図５（Ｄ）に示す記録画像データが作成される。
【００２８】
作成された記録画像データは、メモリ制御回路２２を通してＳＤＲＡＭ２４の記録画像エリア２４ｃに書き込まれる。Ｉ／Ｆ３２は、記録画像エリア２４ｃに格納された記録画像データをメモリ制御回路２２を通して繰り返し読み出し、読み出された記録画像データにＨ２６４方式に従う圧縮処理を施す。圧縮された記録画像データつまりＨ２６４データは、ファイル形式で記録媒体３４に記録される。
【００２９】
キー入力装置３６上で記録終了操作が行われると、ＣＰＵ１８は、記録処理を終了するべく、後処理回路３０およびＩ／Ｆ３２に記録終了命令を与える。後処理回路３０は記録画像データの生成を速やかに終了し、Ｉ／Ｆ３２は記録画像エリア２４ｃ内の記録画像データが全て記録された後に処理を終了する。なお、ズーム操作に応答した切り出しエリアの変更は、記録処理の実行中でも行われる。
【００３０】
後処理回路３０は、図６に示すように構成される。生画像データは、バッファ４２を介して色分離回路４４に与えられ、色分離処理を施される。この結果、各画素がＲ，ＧおよびＢの全ての色情報を有するＲＧＢ画像データが生成される。生成されたＲＧＢ画像データの白バランスは白バランス調整回路４６によって調整され、調整された白バランスを有するＲＧＢ画像データはＹＵＶ変換回路４８によってＹＵＶ形式の画像データ（Ｙ：Ｕ：Ｖ＝４：４：４）に変換される。変換された画像データのうち、Ｙデータはセレクタ５０に与えられ、ＵＶデータはセレクタ６０に与えられる。
【００３１】
セレクタ５０は、４ｎ＋１ライン目（ｎ：０，１，２，３，…、以下同じ）のＹデータをラインメモリ５２ａに書き込み、４ｎ＋２ライン目のＹデータをラインメモリ５２ａに書き込み、４ｎ＋３ライン目のＹデータをラインメモリ５２ａに書き込み、４ｎ＋４ライン目のＹデータをラインメモリ５２ａに書き込む。
【００３２】
マルチプレクサ５４は、ラインメモリ５２ａ〜５４ｄに格納された４ラインのＹデータをＦＩＦＯ方式で同時に読み出し、読み出された４ラインのＹデータをライン番号が昇順に並ぶ態様で表示用ズーム回路５６および記録用ズーム回路５８の各々に与える。
【００３３】
一方、セレクタ６０は、３ｎ＋１ライン目のＹデータをラインメモリ６２ａに書き込み、３ｎ＋２ライン目のＹデータをラインメモリ６２ｂに書き込み、３ｎ＋３ライン目のＹデータをラインメモリ６２ｃに書き込む。マルチプレクサ６４は、ラインメモリ６２ａ〜６２ｃのうち２つのラインメモリに格納された２ラインのＵＶデータをＦＩＦＯ方式で同時に読み出し、読み出された２ラインのＵＶデータをライン番号が昇順に並ぶ態様で表示用ズーム回路６６および記録用ズーム回路６８の各々に与える。
【００３４】
表示用ズーム回路５６および６６の各々には、切り出しエリア内の画素数と表示画像データの画素数との相違に対応する表示用水平ズーム係数ＨＺＫ１，表示用垂直ズーム係数ＶＺＫ１，表示用水平重み付け係数ＨＷＫ１および表示用垂直重み付け係数ＶＷＫ１が与えられる。記録用ズーム回路５８および６８の各々にも、切り出しエリア内の画素数と記録画像データの画素数との相違に対応する記録用水平ズーム係数ＨＺＫ２，記録用垂直ズーム係数ＶＺＫ２，記録用水平重み付け係数ＨＷＫ２および記録用垂直重み付け係数ＶＷＫ２が与えられる。
【００３５】
なお、表示用水平ズーム係数ＨＺＫ１および表示用垂直ズーム係数ＶＺＫ１の各々は、表示画像データの画素数を切り出しエリアの画素数によって割り算して得られる数値に相当する。また、記録用水平ズーム係数ＨＺＫ２および記録用垂直ズーム係数ＶＺＫ２の各々は、記録画像データの画素数を切り出しエリアの画素数によって割り算して得られる数値に相当する。表示用水平重み付け係数ＨＷＫ１，表示用垂直重み付け係数ＶＷＫ１，記録用水平重み付け係数ＨＷＫ２および記録用垂直重み付け係数ＶＷＫ２については後述する。
【００３６】
表示用ズーム回路５６および６６の各々は、与えられた表示用水平ズーム係数ＨＺＫ１，表示用垂直ズーム係数ＶＺＫ１，表示用水平重み付け係数ＨＷＫ１および表示用垂直重み付け係数ＶＷＫ１に従う表示用ズームを実行し、記録用ズーム回路５８および６８の各々は、与えられた記録用水平ズーム係数ＨＺＫ２，記録用垂直ズーム係数ＶＺＫ２，記録用水平重み付け係数ＨＷＫ２および記録用垂直重み付け係数ＶＷＫ２に従う記録用ズームを実行する。表示用ズーム回路５６および６６からそれぞれ出力されたＹデータおよびＵＶデータは比率変換回路７０に与えられ、記録用ズーム回路５８および６８からそれぞれ出力されたＹデータおよびＵＶデータは比率変換回路７４に与えられる。
【００３７】
比率変換回路７０および７４の各々は、ＹデータおよびＵＶデータの比率をＹ：Ｕ：Ｖ＝４：４：４からＹ：Ｕ：Ｖ＝４：２：２に変換する。この結果、比率変換回路７０から表示画像データが出力され、比率変換回路７４から記録画像データが出力される。表示画像データはバッファ７２を介してメモリ制御回路２２に出力され、記録画像データはバッファ７６を介してメモリ制御回路２２に出力される。
【００３８】
表示用ズーム回路５６は、図７に示すように構成される。入力された４ラインのＹデータは補間回路５６ａに与えられ、入力された４ラインのうち中央２ラインのＹデータは補間回路５６ｂに与えられる。補間回路５６ａは、補間方法として縮小ズームに適した最小２乗法を採用する。一方、補間回路５６ｂは、補間方法として汎用的な線形補間を採用する。
【００３９】
補間回路５６ａおよび５６ｂの各々は、表示用垂直ズーム係数ＶＺＫ１を参照した補間処理によって１ラインのＹデータを作成する。掛算器５６ｃは、補間回路５６ａから出力されたＹデータに表示用垂直重み付け係数ＶＷＫ１を掛算し、掛算器５６ｄは、補間回路５６ｂから出力されたＹデータに“１−ＶＷＫ１”を掛算する。掛算器５６ｃおよび５６ｄの出力はその後、加算器５６ｅによって互いに加算される。これによって、垂直ズームが完了する。
【００４０】
加算器５６ｅから出力されたＹデータは、そのまま補間回路５６ｉに与えられるとともに、直列接続されたＦ／Ｆ回路５６ｆ，５６ｇおよび５６ｈの少なくとも１つを経て補間回路５６ｉに与えられる。Ｆ／Ｆ回路５６ｆおよび５６ｇの各々から出力されたＹデータは、補間回路５６ｊにも与えられる。つまり、補間回路５６ｉには水平４画素のＹデータが同時に入力され、補間回路５６ｊにはこの水平４画素のうち中央２画素のＹデータが同時に入力される。
【００４１】
補間回路５６ｉは補間方法として最小２乗法を採用し、補間回路５６ｊは補間方法として線形補間を採用する。補間回路５６ｉおよび５６ｊの各々は、表示用水平ズーム係数ＨＺＫ１を参照した補間処理によって１画素のＹデータを作成する。掛算器５６ｋは、補間回路５６ｉから出力されたＹデータに表示用水平重み付け係数ＨＷＫ１を掛算し、掛算器５６ｍは、補間回路５６ｊから出力されたＹデータに“１−ＨＷＫ１”を掛算する。掛算器５６ｋおよび５６ｍの出力はその後、加算器５６ｎによって互いに加算される。これによって、水平ズームが完了する。
【００４２】
記録用ズーム回路５８は、図８に示すように構成される。ただし、記録用ズーム回路５８は、補間回路５８ａおよび５８ｉが最小２乗法に従う補間の代わりに拡大ズームに適したスプライン補間を実行する点、補間回路５８ａおよび５８ｂが表示用垂直ズーム係数ＶＺＫ１の代わりに記録用垂直ズーム係数ＶＺＫ２を参照する点、補間回路５８ｉおよび５８ｊが表示用水平ズーム係数ＨＺＫ１の代わりに記録用水平ズーム係数ＨＺＫ２を参照する点、掛算器５８ｃが表示用垂直重み付け係数ＶＷＫ１の代わりに記録用垂直重み付け係数ＶＷＫ２を用いる点、掛算器５８ｋが表示用水平重み付け係数ＨＷＫ１の代わりに記録用水平重み付け係数ＨＷＫ２を用いる点、掛算器５８ｄが“１−ＶＷＫ１”の代わりに“１−ＶＷＫ２”を用いる点、および掛算器５８ｍが“１−ＨＷＫ１”の代わりに“１−ＨＷＫ２”を用いる点を除き、表示用ズーム回路５６と同じである。このため、重複した説明は省略する。
【００４３】
表示用ズーム回路６６は、図９に示すように構成される。入力された２ラインのＵＶデータは、補間回路６６ａによって表示用垂直ズーム係数ＶＺＫ１に沿う線形補間を施される。これによって垂直ズームが完了する。補間回路６６ａから出力されたＵＶデータは、そのまま補間回路６６ｅに与えられるとともに、直列接続されたＦ／Ｆ回路６６ｂ，６６ｃおよび６６ｄの少なくとも１つを経て補間回路６６ｅに与えられる。Ｆ／Ｆ回路６６ｂおよび６６ｃの各々から出力されたＵＶデータは、補間回路６６ｆにも与えられる。つまり、補間回路６６ｅには水平４画素のＵＶデータが同時に入力され、補間回路６６ｆにはこの水平４画素のうち中央２画素のＵＶデータが同時に入力される。
【００４４】
補間回路６６ｅは補間方法として最小２乗法を採用し、補間回路６６ｆは補間方法として線形補間を採用する。補間回路６６ｅおよび６６ｆの各々は、表示用水平ズーム係数ＨＺＫ１を参照した補間処理によって１画素のＵＶデータを作成する。掛算器６６ｇは、補間回路６６ｅから出力されたＹデータに表示用水平重み付け係数ＨＷＫ１を掛算し、掛算器６６ｈは、補間回路６６ｆから出力されたＹデータに“１−ＨＷＫ１”を掛算する。掛算器６６ｇおよび６６ｈの出力はその後、加算器６６ｉによって互いに加算される。これによって、水平ズームが完了する。
【００４５】
記録用ズーム回路６８は、図１０に示すように構成される。ただし、記録用ズーム回路６８は、補間回路６８ｅが最小２乗法に従う補間の代わりにスプライン補間を実行する点、補間回路６８ａが表示用垂直ズーム係数ＶＺＫ１の代わりに記録用垂直ズーム係数ＶＺＫ２を参照する点、補間回路６８ｅおよび６６ｆの各々が表示用水平ズーム係数ＨＺＫ１の代わりに記録用水平ズーム係数ＨＺＫ２を参照する点、掛算器６６ｇが表示用水平重み付け係数ＨＷＫ１の代わりに記録用水平重み付け係数ＨＷＫ２を用いる点、および掛算器６８ｈが“１−ＨＷＫ１”の代わりに“１−ＨＷＫ２”を用いる点を除き、表示用ズーム回路６６と同じである。このため、重複した説明は省略する。
【００４６】
図１１（Ａ）を参照して、表示用水平重み付け係数ＨＷＫ１および表示用垂直重み付け係数ＶＷＫ１の各々は、切り出しエリアの水平画素数の増大に伴って増大する。具体的には、表示用水平重み付け係数ＨＷＫ１および表示用垂直重み付け係数ＶＷＫ１の各々は、６４０画素未満の範囲において“０”を示し、６８０画素以上の範囲において“０．５”を示し、６４０画素から６８０画素へ近づくにつれて“０”から“０．５”に線形に増大する。また、表示用水平ズーム係数ＨＺＫ１および表示用垂直ズーム係数ＶＺＫ１の各々は、切り出しエリアの水平画素数の減少に伴って増大し、かつ６４０画素に対応して“１．０”を示す。
【００４７】
図１１（Ｂ）を参照して、記録用水平重み付け係数ＨＷＫ２および記録用垂直重み付け係数ＶＷＫ２の各々は、“高画質”については常に“０．５”を示す。また、“高画質”に対応する記録用水平ズーム係数ＨＺＫ２および記録用垂直ズーム係数ＶＺＫ２の各々は、切り出しエリアの水平画素数の減少に伴って増大し、かつ１９２０画素に対応して“１．０”を示す。
【００４８】
図１１（Ｃ）を参照して、記録用水平重み付け係数ＨＷＫ２および記録用垂直重み付け係数ＶＷＫ２の各々は、“低画質”については切り出しエリアの水平画素数の増大に伴って減少する。具体的には、“低画質”に対応する記録用水平重み付け係数ＨＷＫ２および記録用垂直重み付け係数ＶＷＫ２の各々は、６８０画素未満の範囲において“０．５”を示し、７２０画素以上の範囲において“０”を示し、６８０画素から７２０画素へ近づくにつれて“０．５”から“０”に線形に減少する。また、“低画質”に対応する記録用水平ズーム係数ＨＺＫ２および記録用垂直ズーム係数ＶＺＫ２の各々は、切り出しエリアの水平画素数の減少に伴って増大し、かつ７２０画素に対応して“１．０”を示す。
【００４９】
表示用ズーム回路５６および６６の各々が採用する最小２乗法および線形補間のうち、縮小ズームに適するのは最小２乗法である。また、記録用ズーム回路５８および６８の各々が採用するスプライン補間および線形補間のうち、拡大ズームに適するのはスプライン補間である。
【００５０】
表示用水平重み付け係数ＨＷＫ１および表示用垂直重み付け係数ＶＷＫ１は、切り出しエリアの水平画素数に対して図１１（Ａ）に示すように変化し、“低画質”に対応する記録用水平重み付け係数ＨＷＫ２および記録用垂直重み付け係数ＶＷＫ２は、切り出しエリアの水平画素数に対して図１１（Ｃ）に示すように変化する。このため、表示用ズーム回路５６および６６では、切り出しエリアの水平画素数が“６４０画素”を上回る範囲で最小２乗法に従う補間が有効化される。また、記録用ズーム回路５８および６８では、切り出しエリアの水平画素数が“７２０画素”を下回る範囲でスプライン補間が有効化される。これによって、ズーム操作に応答した切り出しエリアのサイズの変化に起因する表示画像データおよび記録画像データの品質の低下が抑えられる。
【００５１】
ＣＰＵ１８は、図１２に示す撮像タスクおよび図１３に示すズーム制御タスクを含む複数のタスクを並列的に実行する。なお、これらのタスクに対応する制御プログラムは、フラッシュメモリ３８に記憶される。
【００５２】
図１２を参照して、ステップＳ１ではスルー画像処理を実行する。この結果、スルー画像がＬＣＤモニタ２８から出力される。記録開始操作が行われるとステップＳ３でＹＥＳと判断し、ステップＳ５で記録開始命令を後処理回路３０およびＩ／Ｆ３２に与える。この結果、記録画像データが後処理回路３０によって作成され、作成された記録画像データがＩ／Ｆ３２によって記録媒体３４に記録される。記録終了操作が行われると、ステップＳ７でＹＥＳと判断し、ステップＳ９で記録終了命令を後処理回路３０およびＩ／Ｆ３２に与える。この結果、記録画像データの作成および記録が終了される。ステップＳ９の処理が完了すると、ステップＳ３に戻る。
【００５３】
図１３を参照して、ステップＳ１１では、切り出しエリアのサイズおよび位置，表示用水平ズーム係数ＨＺＫ１，表示用垂直ズーム係数ＶＺＫ１，表示用水平重み付け係数ＨＷＫ１，表示用垂直重み付け係数ＶＷＫ１，記録用水平ズーム係数ＨＺＫ２，記録用垂直ズーム係数ＶＺＫ２，記録用水平重み付け係数ＨＷＫ２および記録用垂直重み付け係数ＶＷＫ２を初期化する。ズーム操作が行われると、ステップＳ１３でＹＥＳと判断し、ステップＳ１５で切り出しエリアのサイズおよび位置を変更する。
【００５４】
ステップＳ１７では変更後の切り出しエリアのサイズを参照して表示用水平ズーム係数ＨＺＫ１および表示用垂直ズーム係数ＶＺＫ１を決定し、ステップＳ１９では変更後の切り出しエリアのサイズを参照して表示用水平重み付け係数ＨＷＫ１および表示用垂直重み付け係数ＶＷＫ１を決定する（図１１（Ａ）参照）。ステップＳ２１では変更後の切り出しエリアのサイズを参照して記録用水平ズーム係数ＨＺＫ２および記録用垂直ズーム係数ＶＺＫ２を決定し、ステップＳ２３では変更後の切り出しエリアを参照して記録用水平重み付け係数ＨＷＫ２および記録用垂直重み付け係数ＶＷＫ２を決定する（図１１（Ｂ），図１１（Ｃ）参照）。ステップＳ２３の処理が完了すると、ステップＳ１３に戻る。
【００５５】
以上の説明から分かるように、表示用ズーム回路５６および６６は、最小２乗法および線形補間を用いたズーム処理（第１態様のズーム処理）をＹＵＶ変換回路４８からの画像データ（元画像データ）に施して表示画像データを作成する。ＬＣＤモニタ２８は、こうして作成された表示画像データに基づく画像を表示する。また、記録用ズーム回路５８および６８は、スプライン補間および線形補間を用いたズーム処理（第２態様のズーム処理）をＹＵＶ変換回路４８からの画像データに施して記録画像データを作成する。ここで、記録用のズーム処理は表示用のズーム処理と並列して実行される。Ｉ／Ｆ３２は、こうして作成された記録画像データを記録媒体３４に記録する。
【００５６】
このように、表示画像データおよび記録画像データは、互いに異なる態様のズーム処理によって作成される。また、記録用のズーム処理は、表示用のズーム処理と並列して実行される。これによって、互いに関連する表示画像および記録画像を短時間かつ高品質に生成することができる。
【００５７】
なお、この実施例では、動画像の記録を想定しているが、動画像に代えて静止画像を記録するようにしてもよい。この場合、記録画像に関連する表示画像は、記録処理と並列してフリーズ状態でモニタ画面に表示される。
【図面の簡単な説明】
【００５８】
【図１】この発明の一実施例の構成を示すブロック図である。
【図２】図１実施例に適用されるＳＤＲＡＭのマッピング状態の一例を示す図解図である。
【図３】（Ａ）は撮影画像の一例を示す図解図であり、（Ｂ）は表示画像の一例を示す図解図であり、（Ｃ）は高画質の記録画像の一例を示す図解図であり、（Ｄ）は低画質の記録画像の一例を示す図解図である。
【図４】（Ａ）は切り出し画像の一例を示す図解図であり、（Ｂ）は表示画像の一例を示す図解図であり、（Ｃ）は高画質の記録画像の一例を示す図解図であり、（Ｄ）は低画質の記録画像の一例を示す図解図である。
【図５】（Ａ）は切り出し画像の一例を示す図解図であり、（Ｂ）は表示画像の一例を示す図解図であり、（Ｃ）は高画質の記録画像の一例を示す図解図であり、（Ｄ）は低画質の記録画像の一例を示す図解図である。
【図６】図１実施例に適用される後処理回路の構成の一例を示すブロック図である。
【図７】図６実施例に適用される表示用ズーム回路の構成の一例を示すブロック図である。
【図８】図６実施例に適用される記録用ズーム回路の構成の一例を示すブロック図である。
【図９】図６実施例に適用される他の表示用ズーム回路の構成の一例を示すブロック図である。
【図１０】図６実施例に適用される他の記録用ズーム回路の構成の一例を示すブロック図である。
【図１１】（Ａ）は表示用ズーム係数および表示用重み付け係数の特性の一例を示すグラフであり、（Ｂ）は記録用ズーム係数および記録用重み付け係数の特性の一例を示すグラフであり、（Ｃ）は記録用ズーム係数および記録用重み付け係数の特性の他の一例を示すグラフである。
【図１２】図１実施例に適用されるＣＰＵの動作の一部を示すフロー図である。
【図１３】図１実施例に適用されるＣＰＵの動作の他の一部を示すフロー図である。
【符号の説明】
【００５９】
１０  …ディジタルカメラ
１４  …撮像装置
１８  …ＣＰＵ
２０  …前処理回路
２２  …メモリ制御回路
２４  …ＳＤＲＡＭ
２８  …ＬＣＤモニタ
３０  …後処理回路
３４  …記録媒体
【図１】
0005171287.tif 000002
【図２】
0005171287.tif 000003
【図３】
0005171287.tif 000004
【図４】
0005171287.tif 000005
【図５】
0005171287.tif 000006
【図６】
0005171287.tif 000007
【図７】
0005171287.tif 000008
【図８】
0005171287.tif 000009
【図９】
0005171287.tif 000010
【図１０】
0005171287.tif 000011
【図１１】
0005171287.tif 000012
【図１２】
0005171287.tif 000013
【図１３】
0005171287.tif 000014